(57)【要約】      （修正有）【課題】収容しやすいだけでなく、壁に掛けることができてスペースも節約することができる、折りたたみ可能なちりとり構造を提供する。【解決手段】柄部２３と、受け部２６とからなる。前記柄部２３上方には、アクティブ式取っ手２１と挟み溝２２が設けられ、末端には、位置決め柱２４とスライド柱２５が設けられ、受け部２６の内端壁にはコ形溝２６３が設けられる。また、コ形溝２６３の両側には、位置決め孔２６３１とスライド弧溝２６３２が設けられる。柄部２３における位置決め柱２４とスライド柱２５を、コ形溝の位置決め孔２６３１とスライド弧溝２６３２内に嵌合し、位置決め柱を支点にすると、柄部２３のスライド柱２５をスライド弧溝２６３２内でスライドさせることができる。【選択図】図２
0003176955.tif 000002
【実用新案登録請求の範囲】
【請求項１】
柄部と、受け部とからなる折りたたみ可能なちりとり構造であって、
前記柄部の上方には、アクティブ式取っ手と挟み溝が設けられ、
前記柄部の末端には、位置決め柱とスライド柱が設けられ、受け部の内端壁はコ形溝を備え、コ形溝の両側には、位置決め孔とスライド弧溝が設けられ、
柄部における上方の位置決め柱とスライド柱はコ形溝の位置決め孔とスライド弧溝内に嵌合され、
柄部の位置決め柱を支点にして柄部を折り曲げ、スライド柱をスライド弧溝内でスライドさせると、受け部と柄部は、平行状態を保持する、或いは、垂直状態を保持することができることを特徴とする、折りたたみ可能なちりとり構造。
【請求項２】
前記コ形溝は、受け部の外端に設けられることを特徴とする、請求項１に記載の折りたたみ可能なちりとり構造。
【請求項３】
前記アクティブ式取っ手は、３６０度回転することを特徴とする、請求項１に記載の折りたたみ可能なちりとり構造。
【考案の詳細な説明】
【技術分野】
【０００１】
本考案は折りたたみ可能なちりとり構造に関し、特に柄部の末端に設けられた位置決め柱とスライド柱を、受け部内部に設けられた位置決め孔とスライド弧溝内に嵌合し、スライド柱をスライド弧溝内でスライドさせて柄部を折り曲げることにより、収納しやすくなるとともに、スペースを節約することができる、折りたたみ可能なちりとり構造に関する。
【背景技術】
【０００２】
図１に示すように、従来のちりとり１は、主に、柄１１と受け部１２とからなる。柄１１の上端には、通常、Ｕ形留め具１１１が設けられており、受け部１２内部は、受け溝１２１を備える。また、受け溝１２１の内端壁には差込溝１２２が設けられ、柄１１を組み合わせることができる。組み合わせる時、柄１１の末端は、受け部１２の差込溝１２２内に差し込まれ、それによりちりとり１が固定されて、清掃を行うことができる。また、使用しない時は、柄１１上方のＵ形留め具１１１を利用して、ほうき固定することができる（図示せず）。しかしながら、ちりとり１を組み合わせた後は、Ｌ状を呈しており、折りたたむことができない。従って、地面に平らに置いた場合でも、或いは、壁に懸けた場合でも、非常にスペースをとるため、改良の必要がある。
【考案の概要】
【考案が解決しようとする課題】
【０００３】
そこで、本考案は、収容しやすいだけでなく、壁に掛けることができてスペースも節約することができる、折りたたみ可能なちりとり構造を提供することを目的とする。
【課題を解決するための手段】
【０００４】
本考案による折りたたみ可能なちりとり構造は、主に、柄部と、受け部とからなる。前記柄部上方には、アクティブ式取っ手と挟み溝が設けられ、末端には、位置決め柱とスライド柱が設けられ、受け部の内端壁にはコ形溝が設けられる。また、コ形溝の両側には、位置決め孔とスライド弧溝が設けられる。柄部における上方の位置決め柱とスライド柱を、コ形溝の位置決め孔とスライド弧溝内に嵌合し、位置決め柱を支点にすると、柄部のスライド柱をスライド弧溝内でスライドさせることができる。使用する時は、前記スライド柱は、スライド弧溝の底端に位置し、ちりとりの柄部と受け部は垂直状を呈する。使用しない時は、柄部を折り曲げ、スライド柱をスライド弧溝の頂端にスライドさせると、ちりとりの柄部と受け部が平行状になる。この時、アクティブ式取っ手によって、取っ手を適切な方向に回転させるとともに、ほうきの柄を柄部の挟み溝内に嵌合し固定すると、ほうきのブラシは、受け部の受け溝内に収容される。
【図面の簡単な説明】
【０００５】
【図１】従来のちりとりの分解斜視図である。
【図２】本考案の分解斜視図である。
【図３】本考案を折り畳んでいない状態を示した概略図である。
【図４】本考案の折り畳む手順を示した説明図である。
【図５】本考案を折り畳んだ状態を示した概略図である。
【図６】本考案の取っ手の回転を示した説明図である。
【図７】本考案とほうきの結合を示した説明図である。
【図８】本考案の実施例２の折り畳んでいない状態を示した概略図である。
【図９】本考案の実施例２の折り畳んだ状態を示した概略図である。
【図１０】本考案の実施例２とほうきの結合を示した説明図である。
【考案を実施するための形態】
【０００６】
（実施例１）
まず、図２を参照する。図２は、本考案の分解斜視図である。ちりとり２は、主に、柄部２３と受け部２６とからなる。柄部２３の上方には、握り部２１と挟み溝２２が設けられる。握り部２１は、アクティブ部２１１と固定部２１２とからなり、柄部２３の末端には、位置決め柱２４とスライド柱２５が設けられ、受け部２６の上端には歯部２６２が設けられ、内部には、受け溝２６１が設けられる。受け部２６の内端壁には、コ形溝２６３が設けられ、コ形溝２６３の両側には、位置決め孔２６３１とスライド弧溝２６３２が設けられる。以上の構成により、柄部２３の上方の位置決め柱２４とスライド柱２５をコ形溝２６３の位置決め孔２６３１とスライド弧溝２６３２内に嵌合することで、ちりとり２が構成される（図３に図示）。
【０００７】
次に、図４を参照する。図４は、本考案の折り畳む手順を示した説明図である。柄部２３の位置決め柱２４とスライド柱２５を、受け部２６の位置決め孔２６３１とスライド弧溝２６３２に嵌合した後、柄部２３の位置決め柱２４を支点にし、スライド柱２５をスライド弧溝２６３２の範囲内でスライドさせ、柄部２３を折り曲げると、ちりとり２を折りたたむことができる。
【０００８】
図３と図４に示すように、本考案を使用する時は、スライド柱２５がスライド弧溝２６３２の底端に位置し、ちりとり２の柄部２３と受け部２６が垂直状になっている。この時、受け部２６は、地面に平らに置かれ、清掃の動作を行うことができる。また、受け部２６の上端には歯部２６２が設けられ、ほうきのブラシにこびりついた汚れを取り除くことができる。
【０００９】
ちりとり２を使用しないでしまっておく時は、図４と図５に示すように、柄部２３を反時計回りの方向に折り曲げ、スライド柱２５を反時計回りの方向にスライド弧溝２６３２の頂端へとスライドさせると、ちりとり２の柄部２３と受け部２６が平行状となる。この時、握り部２１のアクティブ部２１１と固定部２１２によって、取っ手を３６０度回転させて、適切な方向へと調整することができ（図６に図示）、また、ほうき３の柄３１を柄部２３の挟み溝２２内に係合し固定することができる（図７に図示）。それにより、ほうき３のブラシ３２を受け部２６の受け溝２６１内に収容することができ、しまっておきやすくなるだけでなく、立てかけておいたり、或いは、壁に掛けておいたりすることができ、スペースを節約することができる。
【００１０】
（実施例２）
続いて、図８を参照する。図８は、本考案の実施例２の斜視図である。ちりとり４は、柄部４３と、受け部４６とからなる。柄部４３の上方には、握り部４１と挟み溝４２が設けられ、握り部４１は、アクティブ部４１１と固定部４１２とからなる。柄部４３の末端には、位置決め柱４４とスライド柱４５が設けられ、受け部４６は、半分開放された形状を呈しており、内部には受け溝４６１が形成され、受け部４６開口の上縁には歯部４６２が設けられ、受け部４６の上方には、コ形溝４６３が設けられる。コ形溝４６３の両側には、位置決め孔４６３１とスライド弧溝４６３２が設けられ、柄部４３の上方の位置決め柱４４とスライド柱４５をコ形溝４６３の位置決め孔４６３１とスライド弧溝４６３２内に嵌合した後、柄部４３の位置決め柱４４を支点にし、スライド柱４５をスライド弧溝４６３２の範囲内でスライドさせ、柄部４３を曲げると、ちりとり４を折りたたむことができる。
【００１１】
図９と図１０に示すように、本考案を使用する時は、スライド柱４５は、スライド弧溝４６３２の尾端に位置し、ちりとり４の柄部４３と受け部４６は垂直状であり、受け部４６を地面上に平らに置くことで、清掃を行うことができる。また、受け部４６の上端に設けられた歯部４６２を利用して、ほうきのブラシ上に付着した汚れを取り除くことができる。使用しない時は、柄部４３、或いは、受け部４６を折り曲げることで、スライド柱４５をスライド弧溝４６３２内でスライドさせ、ちりとり４の柄部４３を受け部４６に平らに貼りつけて平行にすることができる。この時、握り部４１のアクティブ部４１１と固定部４１２によって、取っ手を３６０度回転させて適切な方向に調整することができ、さらに、ほうき５の柄５１を柄部４３の挟み溝４２内に嵌合して固定することができる。それにより、ほうき５のブラシ５２が受け部４６の受け溝４６１内に収容され、前記ほうきを地面に立てておけることもできるし、壁に掛けて置くこともでき、収容に便利である。
【符号の説明】
【００１２】
（従来技術）
１        ちりとり                
１１      柄
１１１    Ｕ形留め具                                  
１２      受け部                                      
１２１    受け溝                                  
１２２    差込溝          
（本考案）
２、４              ちりとり                                              
２１、４１          握り部
２１１、４１１      アクティブ部
２１２、４１２      固定部
２２、４２          挟み溝        
２３、４３          柄部                    
２４、４４          位置決め柱                            
２５、４５          スライド柱      
２６、４６          受け部                            
２６１、４６１      受け溝                
２６２、４６２      歯部                            
２６３、４６３      コ形溝                
２６３１、４６３１  位置決め孔                
２６３２、４６３２  スライド弧溝            
３、５              ほうき                  
３１、５１          柄                                
３２、５２          ブラシ                    
【図１】
0003176955.tif 000003
【図２】
0003176955.tif 000004
【図３】
0003176955.tif 000005
【図４】
0003176955.tif 000006
【図５】
0003176955.tif 000007
【図６】
0003176955.tif 000008
【図７】
0003176955.tif 000009
【図８】
0003176955.tif 000010
【図９】
0003176955.tif 000011
【図１０】
0003176955.tif 000012